(57)【要約】【課題】折り畳んだときにピンチが外部に全く露出しない斬新な物干し器を提供する。【解決手段】一対の略板状体３を一縁３ａにて相互に回動自在に連結することにより開閉自在の支持ケース１を形成し、該支持ケースにおける各略板状体の内側面には多数のピンチ１３を吊り下げ、該支持ケースを閉じたときに該ピンチが該支持ケース内に収納されるようになし、更に、該支持ケースにおける各略板状体の他縁３ｂにはそれぞれフック２３を回動自在に取り付けたことを特徴とする物干し器。【選択図】図１
2010124872.tif 000002
【特許請求の範囲】
【請求項１】
一対の略板状体を一縁にて相互に回動自在に連結することにより開閉自在の支持ケースを形成し、該支持ケースにおける各略板状体の内側面には多数のピンチを吊り下げ、該支持ケースを閉じたときに該ピンチが該支持ケース内に収納されるようになし、更に、該支持ケースにおける各略板状体の他縁にはそれぞれフックを回動自在に取り付けたことを特徴とする物干し器。
【請求項２】
前記各略板状体の他縁にそれぞれ切欠部を形成し、各切欠部に軸を架設し、各軸に前記各フックの基端を回動自在に取り付けることにより、前記支持ケースを閉じたときに各フックが該支持ケースの内外のいずれにも位置し得るようにしたことを特徴とする請求項１に記載の物干し器。
【請求項３】
前記各略板状体の内側面には前記各ピンチを他のピンチから隔てる隔壁を形成したことを特徴とする請求項１又は２に記載の物干し器。
【発明の詳細な説明】
【技術分野】
【０００１】
本発明は、洗濯物を吊り下げて干すための物干し器に関するものである。
【背景技術】
【０００２】
物干し器としては、例えば、本出願人の出願に係る意匠登録第１１４６０２８号公報に示すように、物干し竿、物干し紐等の支持手段に係止するフックにはチェーン、紐等の吊り下げ手段を介して折畳自在のフレームを吊り下げ、該フレームの下面には多数のピンチ（洗濯ばさみ）を吊り下げてなるもの（以下「従来の物干し器」という。）が従来より広く知られている。
【特許文献１】意匠登録第１１４６０２８号公報
【発明の開示】
【発明が解決しようとする課題】
【０００３】
しかるに、上記従来の物干し器においては次のような問題がある。
【０００４】
（イ）フレームを折り畳んだときに、ピンチが当該物干し器のチェーン、紐等の吊り下げ手段或いは当該物干し器以外の物に絡むおそれがある。したがって、物干し器の保管、運搬等の際に不便である。
【０００５】
（ロ）フレームを折り畳んだときでも、ピンチが露出しているため、物干し器の保管、運搬等の際に物干し器の外観上好ましくない。
【０００６】
（ハ）物干し器の保管時に、フレームのみならずピンチにもホコリその他の汚れが付着するおそれがある。
【０００７】
（ニ）フレームを広げて物干し器を使用しているときでも、チェーン、紐等の吊り下げ手段ないしピンチが当該物干し器以外の物に絡むおそれがある。
【０００８】
本発明は、上記従来の物干し器における上述の如き問題を解決し、折り畳んだときにピンチが外部に全く露出しない斬新な物干し器を提供しようとしてなされたものである。
【課題を解決するための手段】
【０００９】
上記課題を解決するために、本発明は下記の物干し器を提供する。
【００１０】
（１）一対の略板状体を一縁にて相互に回動自在に連結することにより開閉自在の支持ケースを形成し、該支持ケースにおける各略板状体の内側面には多数のピンチを吊り下げ、該支持ケースを閉じたときに該ピンチが該支持ケース内に収納されるようになし、更に、該支持ケースにおける各略板状体の他縁にはそれぞれフックを回動自在に取り付けたことを特徴とする物干し器（請求項１）。
【００１１】
（２）前記各略板状体の他縁にそれぞれ切欠部を形成し、各切欠部に軸を架設し、各軸に前記各フックの基端を回動自在に取り付けることにより、前記支持ケースを閉じたときに各フックが該支持ケースの内外のいずれにも位置し得るようになす（請求項２）。
【００１２】
（３）前記各略板状体の内側面には前記各ピンチを他のピンチから隔てる隔壁を形成する（請求項３）。
【発明の効果】
【００１３】
［請求項１の発明］
支持ケースを閉じたときにはピンチが該支持ケース内に収納されるようにしたため、ピンチが当該物干し器以外の物に絡むおそれがない。したがって、物干し器の保管、運搬等の際に好都合である。
【００１４】
支持ケースを閉じたときにはピンチが該支持ケース内に収納されるようにしたため、当該物干し器は、もはや物干し器の外観を有するものではなく、単なる収納ケースの如き外観を呈する。したがって、物干し器の保管、運搬等の際に外観上極めて好ましい。
【００１５】
支持ケースを閉じたときにはピンチが該支持ケース内に収納されるようにしたため、物干し器の保管時に、支持ケースの内面のみならずピンチにもホコリその他の汚れが付着するおそれはない。
【００１６】
支持ケースを開いて物干し器を使用しているときには、該支持ケース全体が板状になり、該支持ケース上にはフックのみが突出し、チェーン、紐等の吊り下げ手段が存在しないため、物干し器が他の物に絡むおそれはない。
【００１７】
［請求項２の発明］
支持ケースを閉じたときには、各フックが該支持ケースの内外のいずれにも位置し得るようにしたため、（ａ）各フックを該支持ケースの内側に位置させた際にはピンチとフックとがすべて該支持ケース内に収納され、（ｂ）各フックを該支持ケースの外側に位置させた際には物干し器の収納時に該フックを例えば壁等の突出物等に係止することにより該物干し器を吊り下げることができる。図６参照。
【００１８】
［請求項３の発明］
各略板状体の内側面には各ピンチを他のピンチから隔てる隔壁を形成したため、支持ケースを閉じたときには各ピンチはそれぞれ独立した小室内に位置する。したがって、支持ケースを閉じたときでもピンチが相互に絡みつくおそれはない。図４、図６参照。
【発明を実施するための最良の形態】
【００１９】
符号１に示すものは開閉自在の支持ケースである。支持ケース１は、一対の略板状体３、３を一縁３ａ、３ａにてヒンジ５を介して相互に回動自在に連結することにより形成する。
【００２０】
各略板状体３は、一例として、略長方形部７の四辺に外壁部９を立ち上げてなる浅箱状体とする。図示の事例においては、略長方形部７の外面に化粧板１１を取り付けている。略長方形部７の外面に化粧板１１を取り付けるに当たっては、一例として、図１１に示すように、略長方形部７に形成した支持孔１０に化粧板１１の爪部１２を係止する。
【００２１】
支持ケース１における各略板状体３の内側面には、多数のピンチ（洗濯ばさみ）１３を吊り下げ、該支持ケース１を閉じたときに該ピンチ１３が該支持ケース１内に収納されるようになす。
【００２２】
ピンチ１３を略板状体３の内側面に吊り下げるに当っては、一例として、略板状体３の略長方形部７に基部１５を突設し、該基部１５に支持杆１７の一端を枢着し、該支持杆１７の他端にピンチ１３を取り付ける。
【００２３】
図示の事例においては、各略板状体３の内側面には各ピンチ１３を他のピンチ１３から隔てる隔壁１９を形成する。隔壁１９を形成することにより、略板状体３の内側面にはピンチ１３を他のピンチ１３から隔てた状態で収納する小室２１が形成される。
【００２４】
支持ケース１における各略板状体３の他縁３ｂにはそれぞれフック２３を回動自在に取り付ける。フック２３は、物干し竿、物干し紐等の支持手段２５に係止されるものである。
【００２５】
図示の事例においては、各略板状体３の他縁３ｂにそれぞれ切欠部２７を形成し、各切欠部２７に軸２９を架設し、各軸２９に各フック２３の基端３１を回動自在に取り付けることにより、支持ケース１を閉じたときに各フック２３が該支持ケース１の内外のいずれにも位置し得るようになす。図６参照。
【００２６】
図４、図６に示す事例においては、支持ケース１を閉じたときに各フック２３を該支持ケース１の内側に位置させた際に、該フック２３を収納する小室３３を形成している。
【００２７】
なお、図１１に示す事例においては、各略板状体３における略長方形部７に立ち上げた外壁部９の相対向する縁に相対応する凹凸部３５、３７を形成している。この事例においては、支持ケース１を閉じたときには、該凹凸部３５、３７が相互に嵌合し、各略板状体３の外壁部９間に隙間が生じないようにしている。
【図面の簡単な説明】
【００２８】
【図１】本発明による物干し器の一例を示す断面図である。
【図２】同上物干し器の側面図である。
【図３】同上物干し器の平面図である。
【図４】同上物干し器の底面図である。
【図５】支持ケースを折り畳みつつある状態を示す正面図である。
【図６】支持ケースを折り畳んで立てた状態を示す側面図である。
【図７】支持ケースを折り畳んだ状態を示す平面図である。
【図８】支持ケースを折り畳んだ状態を示す正面図である。
【図９】支持ケースを折り畳んだ状態を示す側面図である
【図１０】支持ケースを折り畳んだ状態を示す側面図である。
【図１１】略長方形部に立ち上げた外壁部の縁に形成した凹凸部を示す断面図である。
【符号の説明】
【００２９】
１  支持ケース
３  略板状体
３ａ  一縁
３ｂ  他縁
５  ヒンジ
７  略長方形部
９  外壁部
１０  支持孔
１１  化粧板
１２  爪部
１３  ピンチ
１５  基部
１７  支持杆
１９  隔壁
２１  小室
２３  フック
２５  支持手段
２７  切欠部
２９  軸
３１  基端
３３  小室
３５  凹凸部
３７  凹凸部
【図１】
2010124872.tif 000003
【図２】
2010124872.tif 000004
【図３】
2010124872.tif 000005
【図４】
2010124872.tif 000006
【図５】
2010124872.tif 000007
【図６】
2010124872.tif 000008
【図７】
2010124872.tif 000009
【図８】
2010124872.tif 000010
【図９】
2010124872.tif 000011
【図１０】
2010124872.tif 000012
【図１１】
2010124872.tif 000013